(57)【要約】【課題】  ダウンロードに要する時間を最小限に抑えることが可能な「車載機、サーバおよび地点情報音声出力方法」を提供する。【解決手段】  コンテンツサーバ１５０は地点情報およびこれを音声出力するためのＴＴＳファイルをリスト化して管理する。車載機１１０は、地点リストで管理された地点情報において、対応するＴＴＳファイルが存在しないものがある場合、「全件読み出し」ボタンを選択不可能の状態に設定し、無駄なダウンロードまたはダウンロード指示を防止する。【選択図】          図１
2006065772.tif 000002
【特許請求の範囲】
【請求項１】
地点情報を音声出力するためのＴＴＳファイルを所定のサーバからダウンロードする機能を備えた車載機であって、
前記サーバから前記地点情報のリストを取得するリスト取得手段と、
前記リストで管理された地点情報と対応するＴＴＳファイルを一括して前記所定のサーバから取得するＴＴＳファイル取得手段と、
前記ＴＴＳファイル取得手段で取得したＴＴＳファイルを順次音声出力する音声出力手段とを有し、
前記リストは地点情報ごとにＴＴＳファイルの存在有無を示す記述を含み、
前記ＴＴＳファイル取得手段は前記リストにおいてＴＴＳファイルが存在しない記述が含まれる場合、ＴＴＳファイルの取得を実行しないことを特徴とする車載機。
【請求項２】
前記リストで管理された地点情報と対応するＴＴＳファイルを一括して取得することを指示するための全件読み出し指示手段を有し、
前記全件読み出し指示手段は、前記リストにおいてＴＴＳファイルが存在しない記述が含まれる場合、無効とされることを特徴とする請求項１記載の車載機。
【請求項３】
地点情報を音声出力するためのＴＴＳファイルを所定のサーバからダウンロードする機能を備えた車載機であって、
前記サーバから前記地点情報のリストを取得するリスト取得手段と、
前記リストで管理された地点情報と対応するＴＴＳファイルを一括して前記所定のサーバから取得するＴＴＳファイル取得手段と、
前記ＴＴＳファイル取得手段で取得したＴＴＳファイルを順次音声出力する音声出力手段とを有し、
前記リストは地点情報ごとにＴＴＳファイルの存在有無を示す記述を含み、
前記ＴＴＳファイル取得手段は前記リストにおいてＴＴＳファイルが存在しない記述が含まれる場合、存在しないＴＴＳファイルを除外して他のＴＴＳファイルを取得することを特徴とする車載機。
【請求項４】
地点情報および当該地点情報を音声出力するためのＴＴＳファイルをリスト化して管理するサーバであって、
前記リストは地点情報ごとにＴＴＳファイルの存在有無を示す記述を含むことを特徴とするサーバ。
【請求項５】
地点情報を音声出力するための地点情報音声出力方法であって、
前記地点情報および当該地点情報を音声出力するためのＴＴＳファイルをリスト化して管理する所定のサーバから当該リストを取得する第１ステップと、
前記リストで管理されたＴＴＳファイルを一括して前記所定のサーバから取得する第２ステップと、
前記第２ステップで取得したＴＴＳファイルを順次音声出力する第４ステップとを有し、
前記リストは地点情報ごとにＴＴＳファイルの存在有無を示す記述を含み、
前記第２ステップは前記リストにおいてＴＴＳファイルが存在しない記述が含まれる場合、ＴＴＳファイルの取得を実行しないことを特徴とする地点情報音声出力方法。
【請求項６】
地点情報を音声出力するための地点情報音声出力方法であって、
前記地点情報および当該地点情報を音声出力するためのＴＴＳファイルをリスト化して管理する所定のサーバから当該リストを取得する第１ステップと、
前記リストで管理されたＴＴＳファイルを一括して前記所定のサーバから取得する第２ステップと、
前記第２ステップで取得したＴＴＳファイルを順次音声出力する第４ステップとを有し、
前記リストは地点情報ごとにＴＴＳファイルの存在有無を示す記述を含み、
前記第２ステップは前記リストにおいてＴＴＳファイルが存在しない記述が含まれる場合、存在しないＴＴＳファイルを除外して他のＴＴＳファイルを取得することを特徴とする地点情報音声出力方法。
【発明の詳細な説明】
【技術分野】
【０００１】
本発明は、車載機、サーバおよび地点情報音声出力方法に関し、特に地点情報を一括して音声出力する機能を備えた車載機、サーバおよび地点情報音声出力方法に関する。
【背景技術】
【０００２】
近年、インターネット上のサーバなどへアクセスするための通信機能を備えた車載機が存在する。このような車載機のなかにはＸＭＬ（eXtensible Markup Language）を解析して表示する機能を備えたものも存在し、ＸＭＬによって記述されたコンテンツデータをサーバから取得して表示することが可能となっている。
【０００３】
上記のような車載機のなかには地点情報を取得する機能を搭載したものがある（特許文献１）。地点情報とは花火大会やコンサートなどのイベントが開催される場所などを含む情報である。個々の地点情報は地点リストと呼ばれるリストにリンクされている。車載機は地点リストを参照し、これにリンクされている地点情報を取得する。また、地点情報にはＴＴＳ（Text to Speak）ファイルが対応付けられている。ＴＴＳファイルとはこれを音声にして出力するためのファイルである。ドライバは例えば車載機に実装された「全件読み上げ」機能を実行することで、車載機は地点リストから全件の地点情報とこれに対応づけられたＴＴＳファイルを取得し、各地点情報を読み上げる。
【特許文献１】特開２００１−２７３２０３
【発明の開示】
【発明が解決しようとする課題】
【０００４】
しかしながら、上記した従来技術では、地点リストにリンクされた全ての地点情報に対してＴＴＳファイルが存在する場合のみ、ＴＴＳファイルの全件読み出しが可能である。すなわち、ＴＴＳファイルが存在しない地点情報が１つでもある場合、全件読み出し機能を実行することが不可能である。従来技術において、全ての地点情報に関してＴＴＳファイルが存在するか否かは、実際に地点リンクに従ってＴＴＳファイルをダウンロードすることで判別される。このため、ＴＴＳファイルが存在しない地点情報が存在する場合、他のＴＴＳファイルをダウンロードするために費やした時間が無駄となってしまうという問題が存在する。
という問題が存在する。
【０００５】
そこで本発明は、上記の問題に鑑みてなされたものであり、ダウンロードに要する時間を最小限に抑えることが可能な車載機、サーバおよび地点情報音声出力方法を提供することを目的とする。
【課題を解決するための手段】
【０００６】
かかる目的を達成するために、本発明は、地点情報を音声出力するためのＴＴＳファイルを所定のサーバからダウンロードする機能を備えた車載機であって、前記サーバから前記地点情報のリストを取得するリスト取得手段と、前記リストで管理された地点情報と対応するＴＴＳファイルを一括して前記所定のサーバから取得するＴＴＳファイル取得手段と、前記ＴＴＳファイル取得手段で取得したＴＴＳファイルを順次音声出力する音声出力手段とを有し、前記リストが地点情報ごとにＴＴＳファイルの存在有無を示す記述を含み、前記ＴＴＳファイル取得手段が前記リストにおいてＴＴＳファイルが存在しない記述が含まれる場合、ＴＴＳファイルの取得を実行しないように構成される。地点情報またはＴＴＳファイルを実際にダウンロードせずとも、ＴＴＳファイルが存在するか否かを判定することができるため、これを無駄にダウンロードする手間および時間を削除することができ、ダウンロードに要する時間を最小限に抑えることが可能となる。
【０００７】
また、本発明は例えば、前記リストで管理された地点情報と対応するＴＴＳファイルを一括して取得することを指示するための全件読み出し指示手段を有し、前記全件読み出し指示手段が、前記リストにおいてＴＴＳファイルが存在しない記述が含まれる場合、無効とされるように構成されてもよい。ＴＴＳファイルが無い地点情報が存在する場合、「全件読み出し」機能を無効とするように構成することで、これのＴＴＳファイルをダウンロードする指示をユーザに無駄に入力させることを防止でき、使用勝手を向上させることができる。
【０００８】
また、本発明は、地点情報を音声出力するためのＴＴＳファイルを所定のサーバからダウンロードする機能を備えた車載機であって、前記サーバから前記地点情報のリストを取得するリスト取得手段と、前記リストで管理された地点情報と対応するＴＴＳファイルを一括して前記所定のサーバから取得するＴＴＳファイル取得手段と、前記ＴＴＳファイル取得手段で取得したＴＴＳファイルを順次音声出力する音声出力手段とを有し、前記リストが地点情報ごとにＴＴＳファイルの存在有無を示す記述を含み、前記ＴＴＳファイル取得手段が前記リストにおいてＴＴＳファイルが存在しない記述が含まれる場合、存在しないＴＴＳファイルを除外して他のＴＴＳファイルを取得するように構成される。ダウンロードしたＴＴＳファイルを確実に再生することが可能となり、無駄にダウンロードするという行為を防止することが可能となる。すなわち、無駄なダウンロードをなくすことで、ダウンロードに要する時間を最小限に抑えることが可能となる。
【０００９】
また、本発明は、地点情報および当該地点情報を音声出力するためのＴＴＳファイルをリスト化して管理するサーバであって、前記リストが地点情報ごとにＴＴＳファイルの存在有無を示す記述を含むように構成される。ＴＴＳファイルが存在するか否かをリスト化して管理することで、これからＴＴＳファイルをダウンロードする車載機などが無駄なダウンロードをすることを回避することができる。
【００１０】
また、本発明は、地点情報を音声出力するための地点情報音声出力方法であって、前記地点情報および当該地点情報を音声出力するためのＴＴＳファイルをリスト化して管理する所定のサーバから当該リストを取得する第１ステップと、前記リストで管理されたＴＴＳファイルを一括して前記所定のサーバから取得する第２ステップと、前記第２ステップで取得したＴＴＳファイルを順次音声出力する第４ステップとを有し、前記リストが地点情報ごとにＴＴＳファイルの存在有無を示す記述を含み、前記第２ステップが前記リストにおいてＴＴＳファイルが存在しない記述が含まれる場合、ＴＴＳファイルの取得を実行しないように構成される。地点情報またはＴＴＳファイルを実際にダウンロードせずとも、ＴＴＳファイルが存在するか否かを判定することができるため、これを無駄にダウンロードする手間および時間を削除することができ、ダウンロードに要する時間を最小限に抑えることが可能となる。
【００１１】
また、本発明は、地点情報を音声出力するための地点情報音声出力方法であって、前記地点情報および当該地点情報を音声出力するためのＴＴＳファイルをリスト化して管理する所定のサーバから当該リストを取得する第１ステップと、前記リストで管理されたＴＴＳファイルを一括して前記所定のサーバから取得する第２ステップと、前記第２ステップで取得したＴＴＳファイルを順次音声出力する第４ステップとを有し、前記リストが地点情報ごとにＴＴＳファイルの存在有無を示す記述を含み、前記第２ステップが前記リストにおいてＴＴＳファイルが存在しない記述が含まれる場合、存在しないＴＴＳファイルを除外して他のＴＴＳファイルを取得するように構成される。ダウンロードしたＴＴＳファイルを確実に再生することが可能となり、無駄にダウンロードするという行為を防止することが可能となる。すなわち、無駄なダウンロードをなくすことで、ダウンロードに要する時間を最小限に抑えることが可能となる。
【発明の効果】
【００１２】
本発明によれば、ダウンロードに要する時間を最小限に抑えることが可能な車載機、サーバおよび地点情報音声出力方法を実現することができる。
【発明を実施するための最良の形態】
【００１３】
以下、本発明を実施するための最良の形態を図面と共に詳細に説明する。
【実施例１】
【００１４】
まず、本発明による実施例１について図面を用いて詳細に説明する。図１は本実施例による地点情報提供システム１００のシステム構成を示す図である。
【００１５】
図１に示すように、地点情報提供システム１００は、自動車に搭載された車載機１１０および出力装置１２０と、ユーザが所有する携帯電話機１３０と、サービス提供側が管理・運用するコンテンツサーバ１５０とを有して構成される。この構成において、車載機１１０は携帯電話機１３０からインターネット１４０を介してコンテンツサーバ１５０へアクセスする。また、コンテンツサーバ１５０はデータベースなどの記憶手段に記憶されたコンテンツデータ１６０へアクセスすることが可能である。
【００１６】
車載機１１０は、携帯電話機１３０と通信するための送受信部１０１と、コンテンツサーバ１５０から受信した各種データ（コンテンツともいう）を解析するためのコンテンツ解析部１０２と、コンテンツ解析部１０２で解析した結果を出力装置１２０から画像出力または音声出力するための出力制御部１０３とを有して構成される。
【００１７】
送受信部１０１と携帯電話機１３０とは、例えば無線ＬＡＮやＢｌｕｅｔｏｏｔｈ（登録商標）または有線ケーブルを用いたネットワークを介して相互にデータを送受信する。
【００１８】
コンテンツ解析部１０２は例えばＣＰＵ（中央演算処理装置）などで実現され、コンテンツサーバ１５０から送受信部１０１を介して受信したコンテンツを解析する。本実施例では、例としてコンテンツがＸＭＬで記述されているものとする。したがって、コンテンツ解析部１０２はＸＭＬを解析可能な構成で実現される。
【００１９】
出力制御部１０３は、画像出力制御手段と音声出力制御手段とを含んで構成される。画像出力制御手段は、例えばビデオチップやビデオメモリなどを含んで構成され、コンテンツ解析部１０２の解析結果を入力し、所定の処理を施した後、画像データとして出力する。音声出力制御手段は、例えばＤＳＰ（Dgital Signal Processor）などを含んで構成され、コンテンツ解析部１０２の解析結果を入力し、所定の処理を施した後、音声データとして出力する。
【００２０】
出力装置１２０は、車載機１１０から入力された画像データを表示出力するためのディスプレイと、音声データを音声出力するためのスピーカとを有して構成される。
【００２１】
コンテンツサーバ１５０は、一般的なサーバ装置またはパーソナルコンピュータで構成される情報処理装置である。コンテンツサーバ１５０は、本実施例の特徴である地点リンクを保持・管理する。また、コンテンツデータ１６０は、地点リンクでリンクされた地点情報と、これに対応づけられたＴＴＳファイル（本実施例ではこれを地点情報読み出し用ＴＴＳファイルという）とを含む。図２に本実施例による地点リンクと地点情報および地点情報読み出し用ＴＴＳファイルとを示す。
【００２２】
図２に示すように、地点リンクは「地点情報ａへのリンク」、「地点情報ｂへのリンク」、「地点情報ｃへのリンク」、…というように、各地点情報へのリンク情報の集合でなる。また、各リンク情報には、これにリンク付けがなされた地点情報に地点情報読み出し用ＴＴＳファイルが対応づけられているか否かを示すフラグが付与されている。このようなリンク情報およびフラグは、例えば以下のような記述とすることができる。なお、使用言語はＸＭＬである。また、“filetype”とはリンク先のコンテンツの種別、すなわち地点情報を示す。“linktype”とはリンク先のコンテンツに更にリンクされてるコンテンツの種別、すなわち地点情報読み出し用ＴＴＳファイルを示す。
<link filetype=”POIX” linktype=”TTS”>spot.php?cd=1602536</link>
【００２３】
以上の記述において、地点情報はＰＯＩＸ（Point Of Interest eXchange Language）形式のファイルで記述されていることが示されている。また、“linktype=”TTS””はフラグであり、地点情報読み出し用ＴＴＳファイルが存在することを示している。なお、地点情報読み出し用ＴＴＳファイルが存在しない場合、例えば“linktype=”””と記述することができる。図２では、地点情報読み出し用ＴＴＳファイルが存在することを示すフラグを「ＴＴＳ有り」とし、存在しないことを示すフラグを「ＴＴＳ無し」としている。
【００２４】
次に、本実施例による車載機１１０の動作を図面と共に説明する。図３は車載機１１０の動作を示すフローチャートである。
【００２５】
図３に示すように、車載機１１０は、まず、携帯電話機１３０へアクセスし、インターネット１４０へのアクセスを要求する（ステップＳ１０１）。これに対し、携帯電話機１３０は例えば所定のアクセスポイントへダイアルアップし、インターネットへアクセスする。
【００２６】
このようにインターネット１４０へアクセスすると、車載機１１０はコンテンツサーバ１５０へアクセスし（ステップＳ１０２）、これから地点リストを取得する（リスト取得手段：ステップＳ１０３）。
【００２７】
次に車載機１１０は、受信した地点リスト、特にフラグを解析し（ステップＳ１０４）、全てのリンク情報に関するフラグが「ＴＴＳ有り」となっているか否かを判定する（ステップＳ１０５）。
【００２８】
ステップＳ１０５の判定の結果、全てのリンク情報に関するフラグが「ＴＴＳ有り」となっている場合（ステップＳ１０５のＹｅｓ）、車載機１１０は出力装置１２０のディスプレイに表示した「全件読み出し」ボタンを選択可能とし、この機能を有効とする（ステップＳ１０６）。一方、ステップＳ１０５の判定の結果、何れかのリンク情報に関するフラグが「ＴＴＳ無し」となっている場合（ステップＳ１０６のＮｏ）、車載機１１０は出力装置１２０のディスプレイに表示した「全件読み出し」ボタンを選択不可能とし、この機能を無効とする（ステップＳ１０７）。この際、「全件読み出し不可能」などのメッセージをディスプレイに表示してもよい。
【００２９】
ここで、図４に出力装置１２０のディスプレイに表示される画面例を示す。図４に示すように、ディスプレイにはコンテンツ解析結果と「全件読み出し」ボタンとが表示される。この「全件読み出し」ボタンは全件読み出し指示手段として機能する。図３のステップＳ１０６では、この「全件読み出し」ボタンが選択可能とされ、ステップＳ１０７では選択不可能とされる。
【００３０】
図４に示す画面において、「全件読み出し」ボタンが選択されると、車載機は携帯電話機１３０を介してコンテンツサーバ１５０へアクセスし、地点情報および地点情報読み出し用ＴＴＳファイルをダウンロードし（ＴＴＳファイル取得手段）、地点情報読み出し用ＴＴＳファイルを音声出力する（音声出力手段）。
【００３１】
以上のように構成することで、地点情報またはＴＴＳファイルを実際にダウンロードせずとも、ＴＴＳファイルが存在するか否かを判定することができるため、これを無駄にダウンロードする手間および時間を削除することができ、ダウンロードに要する時間を最小限に抑えることが可能となる。
【００３２】
なお、以上で説明した実施例１は本発明を実施するための最良の形態の一つにすぎず、本発明はその趣旨を逸脱しない限り種々変形して実施可能である。
【実施例２】
【００３３】
次に、本発明の実施例２について図面を用いて詳細に説明する。尚、以下の説明において、実施例１と同様の構成については、同一の符号を付し、その詳細な説明を省略する。また、特記しない構成に関しては実施例１と同様である。
【００３４】
本実施例は地点情報読み出し用ＴＴＳファイルが存在しない場合、これを飛ばすように構成される。
【００３５】
本実施例は実施例１と同様の構成を引用することができるため、ここでは詳細な説明を省略する。また、本実施例における車載機１１０の動作は図３に示す動作でなく、図５に示すようになる。
【００３６】
図５に示すように、図４に示す画面において「全件読み出し」ボタンが選択されると、車載機１１０は、まず、携帯電話機１３０へアクセスし、インターネット１４０へのアクセスを要求する（ステップＳ２０１）。これに対し、携帯電話機１３０は例えば所定のアクセスポイントへダイアルアップし、インターネットへアクセスする。
【００３７】
このようにインターネット１４０へアクセスすると、車載機１１０はコンテンツサーバ１５０へアクセスし（ステップＳ２０２）、これから地点リストを取得する（リスト取得手段：ステップＳ２０３）。
【００３８】
次に車載機１１０は、受信した地点リスト、特にフラグを解析し（ステップＳ２０４）、フラグが「ＴＴＳ有り」となっている地点情報読み出し用ＴＴＳファイルを全て取得する（ＴＴＳファイル取得手段：ステップＳ２０５）。
【００３９】
次に車載機１１０は、地点リストの最初のリストを選択し（ステップＳ２０６）、これのフラグが「ＴＴＳ有り」であるか否かを判定する（ステップＳ２０７）。フラグが「ＴＴＳ有り」の場合（ステップＳ２０７のＹｅｓ）、車載機１１０は対応する地点情報読み出し用ＴＴＳファイルを音声出力する（音声出力手段：ステップＳ２０８）。これに対し、フラグが「ＴＴＳ無し」の場合（ステップＳ２０７のＮｏ）、車載機１１０は地点情報読み出し用ＴＴＳファイルが無いことを音声出力する（ステップＳ２０９）。これは、例えば「ＴＴＳファイルがありません」などを音声出力することで実現することができる。
【００４０】
以上のように地点情報読み出し用ＴＴＳファイルまたはこれが無いことを音声出力すると、車載機１１０は全てのリストに関して以上のような処理を実行したか否かを判定し（ステップＳ２１０）、全てのリストに関する処理を終了した場合（ステップＳ２１０のＹｅｓ）、処理を終了する。一方、全てのリストに関する処理が未完了である場合（ステップＳ２１０のＮｏ）、次のリストを選択し（ステップＳ２１１）、ステップＳ２０７へ帰還する。
【００４１】
以上のように構成することで、ダウンロードしたＴＴＳファイルを確実に再生することが可能となり、無駄にダウンロードするという行為を防止することが可能となる。すなわち、無駄なダウンロードをなくすことで、ダウンロードに要する時間を最小限に抑えることが可能となる。
【００４２】
なお、上記実施例１および実施例２は本発明を実施するための例にすぎず、本発明はこれらに限定されるものではなく、これらの実施例を種々変形することは本発明の範囲内であり、更に本発明の範囲内において、他の様々な実施例が可能であることは上記記載から自明である。
【図面の簡単な説明】
【００４３】
【図１】本発明の実施例１による地点情報提供システム１００のシステム構成を示す図である。
【図２】本発明の実施例１による地点リスト、地点情報および地点情報読み出し用ＴＴＳファイルを示す図である。
【図３】本発明の実施例１による車載機１１０の動作を示すフローチャートである。
【図４】本発明の実施例１において出力装置１２０のディスプレイに表示される画面を示す図である。
【図５】本発明の実施例２による車載機１１０の動作を示すフローチャートである。
【符号の説明】
【００４４】
１００  地点情報提供システム
１０１  送受信部
１０２  コンテンツ解析部
１０３  出力制御部
１１０  車載機
１２０  出力装置
１３０  携帯電話機
１４０  インターネット
１５０  コンテンツサーバ
１６０  コンテンツデータ
【図１】
2006065772.tif 000003
【図２】
2006065772.tif 000004
【図３】
2006065772.tif 000005
【図４】
2006065772.tif 000006
【図５】
2006065772.tif 000007